(57)【要約】【課題】遊技機の開閉部材を不正に開閉することを防止する。【解決手段】接続キーは、開閉部材の施錠を解除するための暗号コードを記憶する第１暗号記憶部を備え、施錠装置は、接続キーが遊技機に接続された際に、第１暗号記憶部に記憶されている暗号コードを管理サーバに送信可能なインターフェースと、管理サーバからの許可により開閉部材の施錠を解除する施錠体とを備え、管理サーバは、複数の暗号コードを記憶する第２暗号記憶部と、接続キーの暗号コードと第２暗号記憶部に記憶されている暗号コードとを照合するコード照合部と、コード照合部で暗号コードの照合が成立した際に、開閉部材の施錠を解除する許可を出力する許可部とを有している。【選択図】図５
2008110030.tif 000002
【特許請求の範囲】
【請求項１】
開閉自在な開閉部材を有する遊技機と、この遊技機の開閉部材を施錠可能な施錠装置と、前記遊技機を管理する管理サーバと、前記遊技機に接続可能な接続キーとを備え、
前記接続キーは、前記開閉部材の施錠を解除するための暗号コードを記憶する第１暗号記憶部を備え、
前記施錠装置は、前記接続キーが遊技機に接続された際に、前記第１暗号記憶部に記憶されている暗号コードを前記管理サーバに送信可能なインターフェースと、前記管理サーバからの許可により開閉部材の施錠を解除する施錠体とを備え、
前記管理サーバは、
複数の暗号コードを記憶する第２暗号記憶部と、
前記接続キーの暗号コードと前記第２暗号記憶部に記憶されている暗号コードとを照合するコード照合部と、
前記コード照合部で暗号コードの照合が成立した際に、開閉部材の施錠を解除する許可を出力する許可部と、
を有していることを特徴とする遊技機の開閉部材の監視システム。
【請求項２】
前記接続キーは、当該接続キーの固有の固有情報を記憶する第１固有情報記憶部を備え、前記施錠装置のインターフェースは、前記接続キーが遊技機に接続された際に、前記第１固有情報記憶部に記憶されている固有情報を送信可能となっており、
前記管理サーバは、
複数の接続キーの固有情報を記憶する第２固有情報記憶部と、
前記接続キーの固有情報と前記第２固有情報記憶部に記憶されている固有情報とを照合可能な情報照合部と、
前記情報照合部で固有情報の照合が成立した際に、前記コード照合部における暗号コードの照合を許可する照合許可部と、
を有していることを特徴とする請求項１に記載の遊技機の開閉部材の監視システム。
【請求項３】
前記施錠装置は、開閉部材が開状態であるか否かを管理サーバに送信可能なセンサを備え、
前記管理サーバは、前記開閉部材が開状態であることを前記センサから受信した際に、当該開閉部材の開閉が不正によるものか否かを判断する不正判断部と、前記不正判断部で開閉部材の開閉が不正であると判断されたときに、非常信号を出力する非常信号出力部とを備え、前記管理サーバには、非常信号出力部から非常信号が出力された際に、端末に開閉部材が不正に開閉されたことを通報する通報装置が接続されていることを特徴とする請求項１又は２に記載の遊技機の開閉部材の監視システム。
【請求項４】
前記接続キーはノイズ発生源から発生したノイズ信号を基に乱数を発生する乱数発生部と、予め記憶されている暗号コードを前記乱数発生部の乱数に基づいて管理サーバで作成された新たな暗号コードに書き換える第１書き換え部とを有し、
前記管理サーバは前記乱数発生部から送信された乱数に基づいて暗号コードを作成する暗号作成部と、予め記憶されている暗号コードを暗号作成部で作成した新たな暗号コードに書き換える第２書き換え部を有していることを特徴とする請求項１〜３のいずれかに記載の遊技機の開閉部材の監視システム。
【発明の詳細な説明】
【技術分野】
【０００１】
本発明は、例えば、遊技機に接続キーを接続したときに、遊技機に設けた開閉部材の施錠を解除できるようにした遊技機の開閉部材の監視システムに関するものである。
【背景技術】
【０００２】
従来より、パチンコ等の遊技機の扉を不正に開いて遊技機の内部の構造（例えば、ピン配置や角度）を改造するという不正行為が問題となっている。このような、遊技機における不正行為を未然に防ぐために、遊技機の扉は施錠装置によって施錠できるようになっている（例えば、特許文献１）。
特許文献１の施錠装置では、遊技機の保守点検の際に、関係者だけが扉を開閉できるように工夫がなされており、不正を働こうとする者が施錠装置を操作して遊技機の扉を簡単には開くことができないようにしている。
【特許文献１】特開２００６−２７１４４８号公報
【発明の開示】
【発明が解決しようとする課題】
【０００３】
このような施錠装置では、機械的な操作によって遊技機の扉が開かないようにしているだけであり、遊技機の不正扉開放における対策が未だ不十分であることが実情である。特に、従来の技術では、店舗内に配置した多数の遊技機に対して、不正な扉開放を統括して監視したり、扉の監視をしつつ扉が開かないように管理するのは困難であった。
そこで、本発明は、上記問題点に鑑み、遊技機の開閉部材を不正に開閉することを防止することができる遊技機の開閉部材の監視システムを提供することを目的とする。
【課題を解決するための手段】
【０００４】
前記目的を達成するため、本発明においては以下の技術的手段を講じた。
すなわち、本発明における課題解決のための技術的手段は、開閉自在な開閉部材を有する遊技機と、この遊技機の開閉部材を施錠可能な施錠装置と、前記遊技機を管理する管理サーバと、前記遊技機に接続可能な接続キーとを備え、前記接続キーは、前記開閉部材の施錠を解除するための暗号コードを記憶する第１暗号記憶部を備え、前記施錠装置は、前記接続キーが遊技機に接続された際に、前記第１暗号記憶部に記憶されている暗号コードを前記管理サーバに送信可能なインターフェースと、前記管理サーバからの許可により開閉部材の施錠を解除する施錠体とを備え、前記管理サーバは、複数の暗号コードを記憶する第２暗号記憶部と、前記接続キーの暗号コードと前記第２暗号記憶部に記憶されている暗号コードとを照合するコード照合部と、前記コード照合部で暗号コードの照合が成立した際に、開閉部材の施錠を解除する許可を出力する許可部と、を有している点にある。
【０００５】
前記接続キーは、当該接続キーの固有の固有情報を記憶する第１固有情報記憶部を備え、前記施錠装置のインターフェースは、前記接続キーが遊技機に接続された際に、前記第１固有情報記憶部に記憶されている固有情報を送信可能となっており、前記管理サーバは、複数の接続キーの固有情報を記憶する第２固有情報記憶部と、前記接続キーの固有情報と前記第２固有情報記憶部に記憶されている固有情報とを照合可能な情報照合部と、前記情報照合部で固有情報の照合が成立した際に、前記コード照合部における暗号コードの照合を許可する照合許可部と、を有している点にある。
【０００６】
前記施錠装置は、開閉部材が開状態であるか否かを管理サーバに送信可能なセンサを備え、前記管理サーバは、前記開閉部材が開状態であることを前記センサから受信した際に、開閉部材の開閉が不正によるものか否かを判断する不正判断部と、前記不正判断部で開閉部材の開閉が不正であると判断されたときに、非常信号を出力する非常信号出力部とを備え、前記管理サーバには、非常信号出力部から非常信号が出力された際に、端末に開閉部材が不正に開閉されたことを通報する通報装置が接続されている点にある。
前記接続キーはノイズ発生源から発生したノイズ信号を基に乱数を発生する乱数発生部と、予め記憶されている暗号コードを前記乱数発生部の乱数に基づいて管理サーバで作成された新たな暗号コードに書き換える第１書き換え部とを有し、前記管理サーバは前記乱数発生部から送信された乱数に基づいて暗号コードを作成する暗号作成部と、予め記憶されている暗号コードを暗号作成部で作成した新たな暗号コードに書き換える第２書き換え部を有している点にある。
【発明の効果】
【０００７】
本発明によれば、遊技機の開閉部材を不正に開閉することを防止することができる。
【発明を実施するための最良の形態】
【０００８】
本発明の実施の形態を図面に基づいて説明する。
[第１実施形態]
図１に示すように、遊技機の開閉部材の監視システム１は、例えば、パチンコやスロット等の遊技機２を統括して管理することができるものである。
この遊技機の開閉部材の監視システム１は、複数台の遊技機２と、この遊技機２を管理する管理サーバ３と、遊技機２に接続可能な接続キー４とを備えている。各遊技機２及び管理サーバ３は店舗Ａ内に設けられ、それぞれの遊技機２は有線ＬＡＮ又は無線ＬＡＮ等のネットワーク５によって管理サーバ３にアクセス可能となっている。なお、店舗Ａ内においては、所定台数の遊技機２が並べられることによって１つの島部６が形成されていて、店舗Ａ内には複数の島部６が配置されたものとなっている。
【０００９】
図２〜４に示すように、遊技機２（例えば、パチンコ）は、矩形状の枠体１０と、枠体１０にヒンジ１１を介して開閉自在に取り付けられた開閉部材１２と、枠体１０内に設けられた遊技盤と、開閉部材１２を施錠可能な施錠装置１３等から構成されている。
図５に示すように、施錠装置１３は、開閉部材１２を施錠するためのもので、施錠体１４と、開閉部材１２が開状態状態であるか、閉状態であるかを検知するセンサ（開閉センサ）１５と、接続キー４を接続可能なインターフェース１６を有している。
以下、開閉部材１２、施錠体１４、センサ１５、接続キー４、管理サーバ３について詳しく説明する。
【００１０】
図２〜４に示すように、開閉部材１２は上下分割されたもので、上扉１２ａと、この上扉１２ａの下側に配置された下扉１２ｂとを有している。
上扉１２ａは、枠体１０の上部側にヒンジ１１ａを介して開閉自在に取り付けられ、遊技盤の前面を覆うと共に、遊技盤を見るための窓１７が設けられている。上扉１２ａの裏側には枠体１０内へ向けて突出する係止片１８が設けられている。
下扉１２ｂは、枠体１０の下部側にヒンジ１１ｂを介して開閉自在に取り付けられ、パチンコ玉を貯留する受け皿１９やパチンコ玉を操作するための操作ハンドル２０が設けられている。下扉１２ｂの裏側には枠体１０内へ向けて突出する係止片２１が設けられている。上扉１２ａ及び下扉１２ｂには、接続キー４を施錠装置１３のインターフェース１６に差し込むための、挿入口２９が設けられている。なお、下扉１２ｂにおいて挿入口は図示を省略している。
【００１１】
施錠体１４は、上扉１２ａ又は下扉１２ｂを施錠するもので、それぞれの扉に対応して枠体１０に取り付けられたソレノイド型の電子ロックから構成されている。
電子ロック１４は、電気信号により上下動するロックピン２２と、ロックピン２２を上下移動可能に支持し且つ枠体１０に固定された筐体２３とを有している。
図４に示すように、上扉１２ａや下扉１２ｂを閉め、電気信号によってロックピン２２を筐体２３から突出させ、当該ロックピン２２を上扉１２ａの係止片１８や下扉１２ｂの係止片２１に係止めすることによって、上扉１２ａや下扉１２ｂを施錠（ロック）することができる。
【００１２】
また、上扉１２ａの係止片１８や下扉１２ｂの係止片２１に係止しているロックピン２２を、電気信号によって係止片２１から離れる方向に移動させることで、上扉１２ａの施錠や下扉１２ｂの施錠を解除することができる。
センサ１５は、上扉１２ａや下扉１２ｂの開閉状態、言い換えれば、上扉１２ａや下扉１２ｂが施錠されているか否かを検知するもので、マグネット型の開閉センサで構成されている。開閉センサ１５は、管理サーバ３に接続されていて、上扉１２ａや下扉１２ｂが開閉されているか否かを示す信号が管理サーバ３に入力されるようになっている。
【００１３】
図５に示すように、接続キー４は、施錠装置１３（遊技機２）のインターフェース１６（例えば、ＵＳＢ）に接続可能なインターフェース２５と、記憶部２６と、制御部２７、乱数発生部２８とを有している。
乱数発生部２８はＩＣチップ等から構成されている。この乱数発生部２８は、デバイス内部で発生させる熱雑音（白色雑音）をアナログ的に増幅し、その信号をサンプリングして二値化しデジタル数値化することで、真性乱数を発生する。
図６に示すように、乱数発生部２８は、ノイズ信号を出力するノイズ源３０と、ノイズ源３０から出力されたノイズ信号を増幅する増幅器３１と、増幅したノイズ信号を２値化する２値化装置３２とを備えている。
【００１４】
ノイズ源３０は半導体の熱雑音をノイズとするものであり、半導体の熱雑音を利用すると、疑似乱数に比べ、周期性がなくランダムな信号を得られる。また、ノイズ源３０となるディバイスはＩＣチップ内部に備えられていて、外付け部品は不要である。
増幅器３１は、ノイズ源３０のノイズを増幅するものでありオペアンプ３１ａ，３１ｂにより構成されている。増幅器３１で増幅されたノイズ信号は、シュミットトリガゲート３２に入力され、ノイズ信号の大きさに応じたパルス幅の方形波が出力される。
シュミットトリガは、入力電圧（ノイズ信号）がある一定値以上になると出力パルスを立ち上げ（又は立ち下げ）、入力電圧が他の一定値以下になると出力パルスを立ち下げる（又は立ち上げ）回路である。
【００１５】
したがって、シュミットトリガゲート３２により、アナログのノイズ信号がその大きさに応じたパルス幅のデジタルノイズ信号（ＴＴＬレベル）に変換される。このようにシュミットトリガゲート３２は、ノイズ信号をデジタルノイズ信号（ＴＴＬレベル）に変換する変換器として機能している。
２値化装置３２は、サンプリングクロックを用いたシリアルレジスタ（シリアルシフトレジスタともいう）で構成されている。シリアルレジスタ３３の入力はノイズ信号であり、シュミットトリガゲート３２の１か０の出力（高電圧及び低電圧）が、シリアルレジスタ３３に入力される。
【００１６】
このシリアルレジスタ３３は、シリアル入力、シリアル出力のシフトレジスタとして構成されており、クロックＣＬＫ０，ＣＬＫ１で動作する。なお、クロックＣＬＫ０とクロックＣＬＫ１とは位相が半周期ずれた同周波数のクロックである。
シリアルレジスタ３３は、Ｄフリップフロップ３３ａ，３３ｂ,３３ｃをシリアルに３段（複数段）接続することで構成されている。Ｄフリップフロップにおいて、第１段目３３ａ及び第３段目３３ｃには、クロックＣＬＫ０が与えられ、第２段目３３ｂにはクロックＣＬＫ１が与えられる。
【００１７】
図７、８に示すように、詳しくは、２値化装置３３は、ノイズ信号をクロックＣＬＫ０（サンプリングクロック）のタイミングで２値化するものである。シュミットトリガゲート３２から出力されたパルス状のノイズ信号は、第１段目のＤフリップフロップ３３ａによって、クロックＣＬＫ０信号の立ち上がりタイミングでサンプリングされ、第１段目のＤフリップフロップ３３ａの出力Ｑは１か０を出力し、サンプリングクロックであるクロックＣＬＫ０のタイミングで定量的（サンプリングされた）数値となる。
そして、半周期ずれたクロックＣＬＫ１の立ち上がりタイミングで第１段目のＤフリップフロップ３３ａの出力は、第２段目のＤフリップフロップ３３ｂにシフトする。
【００１８】
さらに、ＣＬＫ０の次の立ち上がりタイミングで、第１段目のＤフリップフロップ３３ａは、再びノイズ信号のサンプリングを行うとともに、第２段目のＤフリップフロップ３３ｂの出力は、第３段目のＤフリップフロップ３３ｃにシフトする。すなわち、シリアルレジスタ３３から出力される。
以上が繰り返され、第１段目３３ａによるサンプリング結果は、クロックＣＬＫ０の１周期分遅延してシリアルレジスタ３３の出力として現れる。ノイズ信号は、ランダムな信号であるから、これを２値化することによってサンプリングＣＬＫに同期したデジタル物理乱数（真性乱数）が得られるようになっている。そして、乱数発生部２８は、ノイズ信号の発生により常に真性乱数を発生するようになっている。
【００１９】
なお、この実施形態では、２値化されたシリアルな真性乱数はパラレル変換器によってパラレル信号に変換される。例えば、パラレル信号は８ビットであり、乱数の数は２５６種類（０〜２５５の数値）とすることができる。
図５に示すように、接続キー４の記憶部２６は、半導体メモリ等で構成されている。この記憶部２６は、遊技機２を使用可能にするための暗号コードを記憶する第１暗号記憶部３５と、当該接続キー４の固有情報を記憶する第１固有情報記憶部３６とを有している。
第１暗号記憶部３５は、例えば、複数の連続した英数字等から構成された暗号コードを記憶している。第１固有情報記憶部３６は、少なくとも接続キー４の固有情報の一部である接続キー４のディバイスＩＤを記憶している。接続キー４の固有情報とは、接続キー４を識別するための情報のことである。
【００２０】
接続キー４の制御部２７は、インターフェース２５、記憶部２６、乱数発生部２８を制御するもので、例えば、第１暗号記憶部３５に記憶されている暗号コードを書き換えたり、第１固有情報記憶部３６に記憶されているディバイスＩＤを施錠装置１３を介して管理サーバ３に送信する等の処理を行う。
また、制御部２７は第１書き換え部３７を有している。第１書き換え部３７は、予め記憶されている暗号コードを新たな暗号コードに書き換えるものである。詳しくは、管理サーバ３から施錠装置１３を介して接続キー４に新しい暗号コードが送信されると、第１書き換え部３７は、管理サーバ３から送信された新しい暗号コードを第１暗号記憶部３５に書き込む指令を出し、旧暗号コードを新しい暗号コードに書き換える。
【００２１】
管理サーバ３は、制御部４０と、インターフェース４１と、記憶部４２とを有している。また、管理サーバ３には、文字、数字等を入力する入力装置（キーボード、マウス）や文字、数字、画像等を表示するモニタ等が接続されている。
管理サーバ３には、遊技機２の状態（例えば、遊技機２の上扉１２ａや下扉１２ｂの開閉の状態）が表示できる監視モニタ４３、不正に遊技機２が施錠状態から解除状態にされたこと（不正に開閉部材１２が開閉されたこと）を携帯電話やコンピュータ等の端末に通報することができる通報装置４４が接続されている。
【００２２】
管理サーバ３の記憶部４２は、半導体メモリ、ＨＤＤ等で構成されている。この記憶部４２は、暗号コードを記憶する第２暗号記憶部４５と、複数の接続キー４の固有情報を記憶する第２固有情報記憶部４６とを有している。
表１に示すように、第２暗号記憶部４５は、詳しくは、遊技機２を区別するための管理番号と共に、暗号コードを記憶している。第２暗号記憶部４５に記憶されている暗号コードは、管理番号が付された遊技機２と一対一に対応していて、１台の遊技機２に１つの暗号コードが付された状態となっている。表１に示すように、第２固有情報記憶部４６は、接続キー４の固有情報の１つであるディバイスＩＤを記憶している。接続キー４の固有情報は、接続キー４を識別するためのものである。
【００２３】
【表１】
2008110030.tif 000003
【００２４】
なお、管理サーバ３に接続されている入力装置を操作することで、記憶部２６に記憶されている管理番号、暗号コード、ディバイスＩＤ等の各種情報は、それぞれ追加、削除、書き換え等を行うことができるようになっている。
管理サーバ３の制御部４０は、情報照合部５０と、照合許可部５１と、コード照合部５２と、許可部５３と、不正判断部５４と、非常信号出力部５５を有している。管理サーバ３は、暗号作成部５６と、第２書き換え部５７とを有している。
情報照合部５０は、接続キー４に記憶された固有情報と第２固有情報記憶部４６に記憶されている固有情報とを照合（検索）可能なものである。この実施の形態では、情報照合部５０は、施錠装置１３（遊技機２）に接続された接続キー４のディバイスＩＤが、管理サーバ３に記憶されているか否かを照合（検索）する。照合許可部５１は、情報照合部５０で固有情報の照合が成立した際に、コード照合部５２での照合を許可するものである。
【００２５】
コード照合部５２は、接続キー４に記憶された暗号コードと第２暗号記憶部４５に記憶されている暗号コードとを照合するものである。この実施の形態では、コード照合部５２は、施錠装置１３（遊技機２）に接続された接続キー４の暗号コードと、当該接続キー４が接続された遊技機２に対応して管理サーバ３に記憶された暗号コードとが一致しているか否かを判断する。
許可部５３は、コード照合部５２において暗号コードの照合が成立した際に、遊技機２を施錠状態から解除する許可を出力するものである。この実施の形態では、許可部５３は、施錠装置１３の施錠体１４（電子ロック１４）に、上扉１２ａの施錠や下扉１２ｂの施錠を解除する電気信号（以降、解除信号ということがある。）を送信する。
【００２６】
不正判断部５４は、遊技機２の解除（開閉部材１２の開閉）が不正によるものか否かを判断するものである。この実施の形態では、許可部５３が施錠装置１３に対して解除信号を送信していないのにも関わらず、特定の施錠装置１３、即ち、特定の遊技機２の上扉１２ａ又は下扉１２ｂが閉状態から開状態になると、遊技機２の解除が不正に行われたと判断する。より具体的には、不正判断部５４は、許可部５３が施錠装置１３に対して解除信号を送信していない状態で、開閉センサ１５から上扉１２ａ又は下扉１２ｂが開状態となったことを示す信号が入力された際には、遊技機２の上扉１２ａ又は下扉１２ｂが不正に開状態にされたと判断する。
【００２７】
非常信号出力部５５は、不正判断部５４で遊技機２の上扉１２ａ又は下扉１２ｂが不正に開状態にされたと判断された場合、通報装置４４に不正に上扉１２ａ又は下扉１２ｂが不正に開状態にされたことを示す非常信号を出力する。
暗号作成部５６は、接続キー４の乱数発生部２８で生成された真性乱数に基づいて暗号コードを作成する。詳しくは、接続キー４の暗号コードと遊技機２の暗号コードとの照合を行う際、接続キー４の乱数発生部２８で真性乱数が生成され、この真性乱数が遊技機２に送信される。暗号作成部５６は、送信された真性乱数に基づき、暗号コードを作成する。暗号作成部５６で暗号コードが新たに作成されると、第２書き換え部によって、新しい暗号コードを第２暗号記憶部４５に書き込む指令を出し、新しい暗号コードを第２暗号記憶部５６に書き込む。
【００２８】
次に、この実施の形態における監視システムの動作について、図９のフローチャートに基づき説明する。
図９に示すように、接続キー４を施錠装置１３（遊技機２）に接続すると、ステップ１０では、接続キー４は、第１固有情報記憶部３６に記憶されている自己のディバイスＩＤを管理サーバ３に送信する。なお、ステップ１０において、接続キー４は、第１暗号記憶部４２に記憶されている自己の暗号コードを管理サーバ３に送信する。
ステップ１１では、管理サーバ３の情報照合部５０は、遊技機２に接続した接続キー４のディバイスＩＤが第２固有情報記憶部４６に記憶されているか否かを検索する。その結果、接続キー４のディバイスＩＤが第２固有情報記憶部４６に記憶されていれば、処理はステップ１２に進み、そうでなければ、ステップ１７に進む。
【００２９】
ステップ１２では、管理サーバ３の照合許可部５１は、管理サーバ３のコード照合部５２で暗号コードの照合を許可する。ステップ１７では、管理サーバ３の照合許可部５１は、コード照合部５２で接続キー４の暗号コードと接続キー４の暗号コードとの照合を許可しない。
ステップ１３では、管理サーバ３のコード照合部５２は、接続キー４を遊技機２に接続した際に、当該接続キー４から送信された暗号コードと、接続キー４が接続された遊技機２に対応して管理サーバ３に記憶された暗号コードとが一致しているか否かを判断する。その結果、暗号コードが一致していれば、処理はステップ１４に進み、そうでなければ、ステップ１８に進む。
【００３０】
ステップ１４では、管理サーバ３の許可部５３は、接続キー４が接続された遊技機２に解除信号を送信する。ステップ１４では、管理サーバ３の許可部５３は、接続キー４が接続された遊技機２に解除信号を送信する。ステップ１８では、接続キー４が接続された遊技機２には解除信号を送らない。
例えば、表１に示すように、ディバイスＩＤが「HMI-11B368」であり且つ記憶されている暗号コードが「leiodkusnfzpm」である接続キー４を、管理番号が「002」である遊技機２に接続した場合、管理サーバ３には遊技機２に接続した接続キー４のディバイスＩＤが記憶され且つ当該接続キー４の暗号コードと接続された遊技機２の暗号コードとが一致するため、管理番号が「002」である遊技機２の上扉１２ａや下扉１２ｂを開状態にすることができる。
【００３１】
一方で、ディバイスＩＤが「HMI-11B368」であり且つ記憶されている暗号コードが「leiodkusnfzpm」である接続キー４を、管理番号が「003」である遊技機２に接続した場合、管理サーバ３には遊技機２に接続した接続キー４のディバイスＩＤが記憶されているものの、当該接続キー４の暗号コードと接続された遊技機２の暗号コードとが一致しないため、管理番号が「003」である遊技機２の上扉１２ａや下扉１２ｂを閉状態に維持する。
なお、ステップ１０〜ステップ１４までの処理を経て、遊技機２の上扉１２ａ又は下扉１２ｂが正常に開き、センサ１５によって上扉１２ａ又は下扉１２ｂが開状態になったことを示す信号を管理サーバ３が受信すると、管理サーバ３は監視モニタ４３に、扉が開いた遊技機２の管理番号及び扉の開を示す信号を送信する。監視モニタ４３は、管理サーバ３からの信号を受けて、当該監視モニタ４３に当該遊技機２の扉が開になったことを表示する。
【００３２】
また、ステップ１０〜ステップ１４までの処理を経ずに、遊技機２の上扉１２ａ又は下扉１２ｂが不正に開き、センサ１５によって上扉１２ａ又は下扉１２ｂが開状態になったことを示す信号を管理サーバ３が受信すると、管理サーバ３は通信用のルータ等からなる通報装置４４に、不正に上扉１２ａ又は下扉１２ｂが開いたことを示す非常信号を送信する。通報装置４４は、通信手段によって携帯電話６０や店舗内外に配置したコンピュータ６１に、非常信号を送信するようになっており、携帯電話６０やコンピュータ６１は、非常信号から不正に扉が開いた遊技機２の管理番号や時間等が分かるようになっている。
【００３３】
ステップ１５では、管理サーバ３側（制御部４０）から接続キー４に乱数を送信する送信要求をし、接続キー４の制御部４０の制御により乱数発生部２８で発生している真性乱数を呼び出し、管理サーバ３に送信する。その後、管理サーバ３が真性乱数を受信すると、暗号作成部５６が真性乱数に基づき暗号コードを作成する。
例えば、接続キー４は、管理サーバ３側から乱数を送信する送信要求されたとき、接続キー４側で乱数発生部２８で発生している乱数データ（０，１のデータ）から１６ビットを取り出し管理サーバ３に送信しており、管理サーバ３の暗号作成部５６では、受信した１６ビットの乱数を文字や数字に変換して、新たな暗号コードとしている。
【００３４】
なお、乱数発生部２８で発生させた１６ビットの乱数データそのものを、暗号コードとしてもよい。
ステップ１６では、管理サーバ３側では第２暗号記録部に記録されている旧暗号コードを作成した新しい暗号コードに書き換えると共に、新たに作成した暗号コードを接続キー４に送信する。接続キー４側では新たな暗号コードを受信し、接続キー４の第１暗号記録部３５に記録されている旧暗号コードを新たな暗号コードに書き換える。
以上、本発明の監視システムによれば、接続キー４の暗号コードと、遊技機２の暗号コードとの照合が成立しなければ、遊技機２の開閉部材１２の施錠を解除することはできないことから、遊技機２に関連付けられた正式な接続キー４を所有している店員等しか遊技機２の施錠を解除することができない。
【００３５】
したがって、遊技機２の開閉部材１２を不正に開放することは困難となるため、不正な扉開放を防止することができる。
しかも、本発明の監視システムによれば、遊技機２の施錠が不正に解除された場合、通報装置４４を介して携帯電話６０やコンピュータ６１等の端末に、不正に解除されたことを示す非常信号を送信するようになっている。通報装置４４と通信可能な携帯電話を店舗Ａ内の店員に所持させたり、通報装置４４と通信可能なコンピュータ６１を店舗Ａを経営するオーナに所有させることによって、遊技機２が不正に解除されたことを店舗Ａの店員やオーナに通報することが可能となり、この通報が抑止力となって、不正な扉開放を防止することができる。
【００３６】
[第２実施形態]
第２実施形態における遊技機２の監視システム１は、第２固有情報記憶部４６及び情報照合部５０を変更したものである。第２固有情報記憶部４６は、遊技機２の固有情報と接続キー４の固有情報とを関連付けて記憶する関連情報記憶部を有している。関連づけ情報は、特定の接続キー４の暗号コードと特定の遊技機２に対応して管理サーバ３に記憶された暗号コードとの照合の許可の関連を示すもので、具体的には、表２に示すように、関連情報記憶部には、接続キー４のディバイスＩＤと遊技機２の管理番号等とが一対一で記憶されている。
【００３７】
【表２】
2008110030.tif 000004
【００３８】
情報照合部５０は、接続キー４を遊技機２に接続した際に、当該接続キー４の固有情報と第２固有情報記憶部４６の関連情報記憶部に記憶されている固有情報とを照合するようになっている。詳しくは、情報照合部５０は、遊技機２に接続した接続キー４のディバイスＩＤが、当該遊技機２に関連しているか否かを判断するためのもので、遊技機２に接続した接続キー４のディバイスＩＤと当該接続キー４が接続された遊技機２の管理番号とが関連づけられて関連情報記憶部に記憶されているか否かを判断するものである。
例えば、表２に示すように、ディバイスＩＤが「HMI-11B368」である接続キー４を、管理番号が「002」である遊技機２に接続した場合、関連情報記憶部には、接続キー４のディバイスＩＤと接続された遊技機２の管理番号とが関連づけられて記憶されているので、情報照合部５０では関連性有りと判断する（照合成立）。
【００３９】
一方で、ディバイスＩＤが「HMI-11B368」である接続キー４を、管理番号が「003」である遊技機２に接続された場合、関連情報記憶部には、接続キー４のディバイスＩＤと接続された遊技機２の管理番号とが関連づけられて記憶されていないので、情報照合部５０では関連性無しと判断する（照合不正立）。
次に、この実施の形態における監視システムの動作について、図１０のフローチャートに基づき説明する。なお、ステップ１２〜ステップ１８までは、図９のフローチャートと動作が同じのため説明を省略する。
【００４０】
ステップ１０’では、管理サーバ３は、接続キー４のディバイスＩＤを受信し、受信したディバイスＩＤに関連付けられている遊技機２の管理番号を呼び出す。
ステップ１１’では、管理サーバ３は、ステップ１０’で呼び出した管理番号が、実際に接続キー４が接続された遊技機２の管理番号と一致するか否かを判断する、即ち、接続した接続キー４と、当該接続キー４が接続された遊技機２との関連性の有無を判断する。その結果、関連性があれば、処理はステップ１２に進み、そうでなければ、ステップ１７に進む。
【００４１】
以上、本発明の監視システムによれば、接続キー４の暗号コードと遊技機２の暗号コードとの照合だけでなく、接続キー４と遊技機２との関連性が無ければ、遊技機３の施錠を解除することができないことから、遊技機２の開閉部材１２を不正に開放することは非常に困難となるため、不正な扉開放をより一層防止することができる。
[第３実施形態]
第３実施形態における遊技機２の監視システム１は、１つの接続キー４で複数の遊技機２の施錠を解除できるようにしたものである。表３に示すように、第２暗号記憶部４５は、遊技機２毎の暗号コードを記憶していると共に、各遊技機２に対してそれぞれの遊技機２が所属するグループ（例えば、島番号）を記憶している。また、第２固有情報記憶部４６は、接続キー４毎のディバイスＩＤを記憶していると共に、接続キー４によって施錠状態から解除状態にすることのできる遊技機２のグループ（例えば、島番号）が記憶されている。なお、第２固有情報記憶部４６に記憶されている島番号も接続キー４の固有情報である。
【００４２】
【表３】
2008110030.tif 000005
【００４３】
情報照合部５０は、遊技機２に接続した接続キー４が、当該遊技機２のグループに属しているか否かを判断するもので、この実施の形態では、接続キー４を遊技機２に接続した際に、遊技機２に接続した接続キー４の島番号が、接続された遊技機２の島番号と一致しているか否かを判断する。
例えば、表３に示すように、ディバイスＩＤが「HMI-11B368」である接続キー４を、管理番号が「002」である遊技機２に接続した場合、ディバイスＩＤが「HMI-11B368」である接続キー４のグループと、管理番号が「002」である遊技機２のグループとが一致しているので、情報照合部５０では接続キー４が遊技機２のグループに属していると判断する。  一方で、ディバイスＩＤが「HMI-11B368」である接続キー４を、管理番号が「003」である遊技機２に接続した場合、ディバイスＩＤが「HMI-11B368」である接続キー４のグループと、管理番号が「002」である遊技機２のグループとが一致していないので、情報照合部５０では接続キー４が遊技機２のグループに属していないと判断する。
【００４４】
次に、この実施の形態における監視システムの動作について、図１１のフローチャートに基づき説明する。なお、ステップ１２〜ステップ１８までは、図９のフローチャートと動作が同じのため説明を省略する。
ステップ１０’では、管理サーバ３は、接続キー４が接続された遊技機２の島番号を呼び出すと共に、当該遊技機２に接続した接続キー４の島番号を呼び出す。
ステップ１１’では、管理サーバ３は、接続キー４の島番号が、遊技機２の島番号と同じであるか否かを判断する、即ち、接続キー４が遊技機２のグループに属しているか否かを判断する。その結果、接続キー４の島番号が、遊技機２の島番号と同じであれば、処理はステップ１２に進み、そうでなければステップ１７に進む。
【００４５】
なお、この実施の形態の場合、コード照合部５２、ステップ１３では、遊技機２に接続した接続キー４の暗号コードと、これと同じグループに属する遊技機２の暗号コードとのいずれかが一致してれば、接続キー４の暗号コードと遊技機２の暗号コードとの照合が成立したと判断する。
例えば、表３に示すように、ディバイスＩＤが「HMI-11B368」である接続キー４を、管理番号が「001」である遊技機２に接続した場合でも、管理番号が「001」である遊技機２とグループを同じである管理番号が「002」に、当該接続キー４と同じ暗号コードが存在するため、暗号コードの照合は成立する。当然の如く、接続キー４と遊技機２とのグループが同じであっても、接続キー４に記憶された暗号コードが管理サーバ３に記憶されていなければ、暗号コードの照合は不成立となる。
【００４６】
以上、本発明の監視システムによれば、遊技機２と同じグループに属する接続キー４を用いれば、１つの接続キー４で複数の遊技機２の施錠を解除することができる。
本実施形態にかかるは、上記実施の形態に限定されるものではない。
即ち、上記の実施の形態では、接続キー４は、ＵＳＢ型のインターフェースに接続するものであったが、接続キー４はＵＳＢ型に限らず、ＩＣカード等であってもよい。
図２に示すように、別に電子式とは異なる機械式の施錠キー６３を設け、二重ロックとしてもよい。また、上記の実施の形態では、上扉１２ａ又は下扉１２ｂの施錠を解除することを説明したが、開閉部材１２は上扉１２ａや下扉１２ｂに限られず、遊技機２に設けられて開閉する部材であればよく、例えば、天板や点検口を塞ぐ蓋であってもよい。
【００４７】
機械式の施錠キー６３を施錠可能なキーのヘッド部に、記憶部２６と、制御部２７と乱数発生部２８を内蔵し、当該キーを本発明の接続キー４としてもよい。
また、接続キー４を通信等によって各種情報を送受信可能な非接触型のキーとしてもよい。この場合、当然に、施錠装置１３のインターフェース（送受信部）２５を、通信等によって接続キー４と各種情報を送受信可能なものにすればよい。
【図面の簡単な説明】
【００４８】
【図１】第１実施形態に係る遊技機の開閉部材の監視システムの全体構成図である。
【図２】遊技機の概略正面図である。
【図３】上扉及び下扉の開閉状態を示す平面断面図である。
【図４】上扉及び下扉の開閉状態を示す側面断面図である。
【図５】遊技機の開閉部材の監視システムの詳細図である。
【図６】乱数発生部の構成図である。
【図７】ノイズ信号とサンプリングの説明図である。
【図８】ノイズ信号をサンプリングクロックで２値化するタイミング図である。
【図９】第１実施形態に係る遊技機の開閉部材の監視システムの動作のフローチャート図である。
【図１０】第２実施形態に係る遊技機の開閉部材の監視システムの動作のフローチャート図である。
【図１１】第３実施形態に係る遊技機の開閉部材の監視システムの動作のフローチャート図である。
【符号の説明】
【００４９】
１    遊技機の開閉部材の監視システム
２    遊技機
３    管理サーバ
４    接続キー
１３  施錠装置
３５  第１暗号記憶部
４５  第２暗号記憶部
５２  コード照合部
５３  許可部
【図１】
2008110030.tif 000006
【図２】
2008110030.tif 000007
【図３】
2008110030.tif 000008
【図４】
2008110030.tif 000009
【図５】
2008110030.tif 000010
【図６】
2008110030.tif 000011
【図７】
2008110030.tif 000012
【図８】
2008110030.tif 000013
【図９】
2008110030.tif 000014
【図１０】
2008110030.tif 000015
【図１１】
2008110030.tif 000016